(57)【要約】【課題】端末間のデータの共有に必要な通信時間および通信負荷を低減することができる通信端末を提供する。【解決手段】外部Ｉ／Ｆ１０６のアドホックモード通信部１０６１は、携帯電話網を介して外部端末と通信を行う携帯電話に対して、記憶部１０８に記憶されている電子データに対応する、当該電子データよりもデータ量の少ない要約データを送信する。ＣＰＵ１０１は、外部Ｉ／Ｆ１０６の通信状況に基づいて、要約データが送信されたか否かを示す送信情報を更新し、送信情報に基づいて、電子データを送信するか否かを判定する。外部Ｉ／Ｆ１０６のインフラストラクチャモード通信部１０６２は、電子データを送信すると判定された場合に、携帯電話網よりも高速なＬＡＮを介して電子データを外部端末へ送信する。【選択図】図３
2010068295.tif 000002
【特許請求の範囲】
【請求項１】
電子データを記憶する記憶部と、
第１の通信回線を介して第１の外部端末と通信を行う第２の外部端末に対して、前記記憶部に記憶されている前記電子データに対応する、当該電子データよりもデータ量の少ない要約データを送信する第１の通信部と、
前記第１の通信部による前記要約データの送信状況に基づいて、前記要約データが送信されたか否かを示す送信情報を更新する情報更新部と、
前記送信情報に基づいて、前記電子データを送信するか否かを判定する判定部と、
前記電子データを送信すると判定された場合に、前記第１の通信回線よりも高速な第２の通信回線を介して前記電子データを前記第１の外部端末へ送信する第２の通信部と、
を具備することを特徴とする通信端末。
【請求項２】
前記第１の通信部はさらに、前記要約データが前記第１の外部端末へ送信されたことを示す送信状況情報を前記第２の外部端末から受信した場合に、当該送信状況情報を前記情報更新部に通知し、
前記情報更新部は、前記第１の通信部から前記送信状況情報が通知された場合に前記送信情報を更新する
ことを特徴とする請求項１に記載の通信端末。
【請求項３】
前記情報更新部は、前記第１の通信部から前記第２の外部端末へ前記要約データが送信された場合に前記送信情報を更新することを特徴とする請求項１に記載の通信端末。
【請求項４】
前記情報更新部は、前記電子データの属性情報を更新することによって前記送信情報を更新することを特徴とする請求項１に記載の通信端末。
【請求項５】
前記第１の通信部は、中継端末を介さず端末同士が直接無線通信を行う無線通信接続方式により前記第２の外部端末と接続することを特徴とする請求項４に記載の通信端末。
【請求項６】
前記記憶部は、前記電子データとして画像データを記憶し、
前記第１の通信部は、前記要約データとして前記画像データのサムネイル画像データを送信する
ことを特徴とする請求項１に記載の通信端末。
【請求項７】
電子データを記憶する記憶部と、
前記記憶部に記憶されている前記電子データに対応する、当該電子データよりもデータ量の少ない要約データを、第１の通信回線を介して外部端末へ送信する第１の通信部と、
前記第１の通信部による前記要約データの送信状況に基づいて、前記要約データが送信されたか否かを示す送信情報を更新する情報更新部と、
前記送信情報に基づいて、前記電子データを送信するか否かを判定する判定部と、
前記電子データを送信すると判定された場合に、前記第１の通信回線よりも高速な第２の通信回線を介して前記電子データを前記外部端末へ送信する第２の通信部と、
を具備することを特徴とする通信端末。
【発明の詳細な説明】
【技術分野】
【０００１】
本発明は、２種類の通信回線を介した通信を行う通信端末に関する。
【背景技術】
【０００２】
近年、携帯電話やデジタルカメラ、ビデオカメラ等の撮像機能を有する持ち運び可能な装置が急速に普及し、あらゆる場所にて撮影する機会が増えてきている。撮影された画像に関して、撮影後すぐに画像保存サービスにアップロードしたい、友人知人に送付したいといったニーズがある。自宅で撮影する場合は、例えば撮影した画像をＰＣにコピーして、ＰＣからＬＡＮ経由で外部ネットワークに送信することができる。街中で撮影する場合は、例えば携帯電話やデジタルカメラの無線ＬＡＮ機能を用いて公衆無線ＬＡＮスポット経由で画像を外部ネットワークに送信することができる。
【０００３】
しかし、外出先では、公衆無線ＬＡＮスポット等が付近に無くＬＡＮに接続できないという状況がある。この場合、特許文献１に開示されているように、撮影した画像を、携帯電話を利用した携帯電話網経由で送信することで、ＬＡＮに接続することができない状況であっても、外部の端末へ画像を送信し、画像の送信元および送信先の端末間で画像を共有することができる。
【特許文献１】特開２００２−９８７９号公報
【発明の開示】
【発明が解決しようとする課題】
【０００４】
最近のデジタルカメラや携帯電話は高画素化の傾向にあり、撮影した画像データのサイズは大きくなってきている。特許文献１では携帯電話網を利用して画像を送信するが、携帯電話網の通信速度は有線および無線ＬＡＮ等の通信速度に比べて遅いため、大量のデータを送信するのに時間がかかるとともに通信負荷が高い。
【０００５】
また、異なる端末間でデータを共有する場合に、必ずしもデータ量の大きなデータを双方の端末が保有しなければデータの共有を実現することができないとは限らず、データの共有形態として様々な形態が考えられる。例えば、第１の端末と第２の端末間で画像を共有する場合、第１の端末は原画像を保持し、第２の端末は原画像のサムネイル画像を保持するという形態も考えられる。この形態の場合、第２の端末側では、サムネイル画像に基づいて少なくとも原画像の内容を知ることが可能であるし、必要に応じて、第１の端末から原画像を取得することも可能である。
【０００６】
本発明は、上述した点に鑑みてなされたものであって、端末間のデータの共有に必要な通信時間および通信負荷を低減することができる通信端末を提供することを目的とする。
【課題を解決するための手段】
【０００７】
本発明は、上記の課題を解決するためになされたもので、電子データを記憶する記憶部と、第１の通信回線を介して第１の外部端末と通信を行う第２の外部端末に対して、前記記憶部に記憶されている前記電子データに対応する、当該電子データよりもデータ量の少ない要約データを送信する第１の通信部と、前記第１の通信部による前記要約データの送信状況に基づいて、前記要約データが送信されたか否かを示す送信情報を更新する情報更新部と、前記送信情報に基づいて、前記電子データを送信するか否かを判定する判定部と、前記電子データを送信すると判定された場合に、前記第１の通信回線よりも高速な第２の通信回線を介して前記電子データを前記第１の外部端末へ送信する第２の通信部と、を具備することを特徴とする通信端末である。
【０００８】
また、本発明の通信端末において、前記第１の通信部はさらに、前記要約データが前記第１の外部端末へ送信されたことを示す送信状況情報を前記第２の外部端末から受信した場合に、当該送信状況情報を前記情報更新部に通知し、前記情報更新部は、前記第１の通信部から前記送信状況情報が通知された場合に前記送信情報を更新することを特徴とする。
【０００９】
また、本発明の通信端末において、前記情報更新部は、前記第１の通信部から前記第２の外部端末へ前記要約データが送信された場合に前記送信情報を更新することを特徴とする。
【００１０】
また、本発明の通信端末において、前記情報更新部は、前記電子データの属性情報を更新することによって前記送信情報を更新することを特徴とする。
【００１１】
また、本発明の通信端末において、前記第１の通信部は、中継端末を介さず端末同士が直接無線通信を行う無線通信接続方式により前記第２の外部端末と接続することを特徴とする。
【００１２】
また、本発明の通信端末において、前記記憶部は、前記電子データとして画像データを記憶し、前記第１の通信部は、前記要約データとして前記画像データのサムネイル画像データを送信することを特徴とする。
【００１３】
また、本発明は、電子データを記憶する記憶部と、前記記憶部に記憶されている前記電子データに対応する、当該電子データよりもデータ量の少ない要約データを、第１の通信回線を介して外部端末へ送信する第１の通信部と、前記第１の通信部による前記要約データの送信状況に基づいて、前記要約データが送信されたか否かを示す送信情報を更新する情報更新部と、前記送信情報に基づいて、前記電子データを送信するか否かを判定する判定部と、前記電子データを送信すると判定された場合に、前記第１の通信回線よりも高速な第２の通信回線を介して前記電子データを前記外部端末へ送信する第２の通信部と、を具備することを特徴とする通信端末である。
【発明の効果】
【００１４】
本発明によれば、第２の通信部が電子データの送信を行えない状況であっても、第１の通信部が通信を行える状況であれば、第１の通信部が電子データよりもデータ量の少ない要約データを送信する。この要約データが所定の外部端末で受信されると、電子データを保有する通信端末とこの外部端末との間でデータを共有することが可能となる。また、第１の通信回線で要約データを送信することによって、第１の通信回線で電子データを送信する場合と比較して、端末間のデータの共有に必要な通信時間および通信負荷を低減することができる。
【発明を実施するための最良の形態】
【００１５】
以下、図面を参照し、本発明の実施形態を説明する。以下、外部端末へ画像を送信する通信端末の一例として主にデジタルスチルカメラを用いて説明するが、これに限らず、ＰＣ、携帯電話、ＰＤＡ、光ディスク・ＨＤＤレコーダ、ＴＶ、ゲーム機、ビデオカメラ、プリンタ、ＮＡＳなど、画像を送信することのできる機器であれば問題ない。一方、通信端末から画像を受信する外部端末は、ＰＣ、携帯電話、ＰＤＡ、光ディスク・ＨＤＤレコーダ、ＴＶ、ゲーム機、ビデオカメラ、プリンタ、デジタルスチルカメラ、ＮＡＳなどの機器であって、サムネイル画像や静止画像、画像の固有識別子（ハッシュ値等）を取得し、画像取得要求を行うことができる機器であれば問題ない。
【００１６】
図１は、本実施形態による第１の通信システムの構成を示している。デジタルスチルカメラ１０（以下、ＤＳＣ１０と略記する）と携帯電話５０（第２の外部端末）はＩＥＥＥ８０２．１１ｂ／ｇ等のアドホック接続を行う。一方、携帯電話５０は、ＬＡＮよりも低速な携帯電話網９１（第１の通信回線）経由でネットワーク９０（第２の通信回線）に接続し、外部端末３０（第１の外部端末）と通信を行うことができる。
【００１７】
なお、アドホック接続の一例としてＩＥＥＥ８０２．１１ｂ／ｇを挙げているが、これに限らず、例えばＩＥＥＥ８０２．１１で定められる各種通信プロトコルや、Ｂｌｕｅｔｏｏｔｈ（ＴＭ）、赤外線、ＵＷＢ（Ｕｌｔｒａ  Ｗｉｄｅ  Ｂａｎｄ）等の無線通信、あるいはＮＦＣ（Ｎｅａｒ  Ｆｉｅｌｄ  Ｃｏｍｍｕｎｉｃａｔｉｏｎ）を始めとする近距離無線通信などでもよい。
【００１８】
図２は、本実施形態による第２の通信システムの構成を示している。所定のネットワーク・エリアの一例であるＬＡＮ８０内のＤＳＣ１０、光ディスクレコーダ６０、ＰＣ７０は、アドレス変換装置４０を介して外部のネットワーク９０経由で外部端末３０と通信を行うことができる。また、図１と図２に示すように、ＤＳＣ１０は、第１の通信システムを利用して外部端末３０と通信を行う機能と、第２の通信システムを利用して外部端末３０と通信を行う機能とを有している。
【００１９】
図３はＤＳＣ１０の構成を示している。ＤＳＣ１０は、ＣＰＵ１０１、入力インターフェース部１０２、ＲＯＭ１０３、ＲＡＭ１０４、表示部１０５、外部Ｉ／Ｆ１０６、ファイル管理部１０７、記憶部１０８、圧縮伸張エンジン１０９、撮像部１１０を備える。
【００２０】
ＣＰＵ１０１は、ＲＯＭ１０３に格納されている制御プログラムに従いＲＡＭ１０４を作業領域に用いて各種制御を行う。また、このＣＰＵ１０１は、例えばＩＥＥＥ８０２．１１ｂ／ｇ等の無線のネットワークプロトコルにより、外部Ｉ／Ｆ１０６内のインフラストラクチャモード通信部１０６２（第２の通信部）を介してネットワーク９０（第２の通信回線）に接続して外部の外部端末３０と通信したり、外部Ｉ／Ｆ１０６内のアドホックモード通信部１０６１（第１の通信部）を介してアドホック接続により携帯電話５０等の他の機器と直接通信したりできるようになっている。通信時に送受信するデータは、ＲＡＭ１０４に格納される。
【００２１】
入力インターフェース部１０２は、ＤＳＣ１０にかかわる操作入力を行うためのスイッチ、ボタン、キー、ダイヤル等の操作入力部である。また、この入力インターフェース部１０２は、表示部１０５に重ねられたタッチパネル等であってもよい。表示部１０５は、画像や操作メニュー等を表示することが可能である。ファイル管理部１０７は、ＣＰＵ１０１からの指示に従い、記憶部１０８に記録されるファイルを管理する。
【００２２】
記憶部１０８は、半導体メモリ、磁気メモリ、磁気ディスク、光ディスク、光磁気ディスク等の不揮発性の記録媒体、あるいはそれらに限らず情報を記録することができる不揮発性の記録媒体であり、また上記記録媒体の組み合わせであってもよい。さらに、記憶部１０８は、単数の記録媒体のみから構成される必要は無く、複数の記録媒体から構成されていても構わない。
【００２３】
圧縮伸張エンジン１０９は、画像の圧縮および伸張を行う。撮像部１１０は、被写体像を撮像し撮像データを生成する。
【００２４】
このような構成のＤＳＣ１０では、撮影時には、入力インターフェース部１０２に入力された指示に従って、ＣＰＵ１０１が撮像部１１０から撮像データを取り込む。さらに、ＣＰＵ１０１は、撮像データに基づく画像を表示部１０５に表示するとともに、ＲＡＭ１０４内に撮像データを格納する。そして、ＣＰＵ１０１が圧縮伸張エンジン１０９に圧縮指示を行うと、圧縮伸張エンジン１０９は、上記ＲＡＭ１０４内の撮像データを、ＣＰＵ１０１が指定するフォーマットの画像へと圧縮する。圧縮された画像は、ＣＰＵ１０１からの指示により、ファイル管理部１０７を通して記憶部１０８に記録される。
【００２５】
このように記憶部１０８に記録された画像の再生時には、まずＣＰＵ１０１からの指示により、ファイル管理部１０７を通して記憶部１０８内の画像が読み出され、圧縮伸張エンジン１０９により、記録されているフォーマットに従い画像が伸張される。伸張された画像は表示部１０５に表示される。また、撮像時あるいは再生時のＤＳＣ１０および画像に係る設定を行うための設定画面が表示部１０５に表示された状態で、ユーザは入力インターフェース部１０２を用いてＤＳＣ１０の設定を行うことが可能である。
【００２６】
図４は外部端末３０の構成を示している。外部端末３０は、ＣＰＵ３０１、ＲＯＭ３０２、ＲＡＭ３０３、圧縮伸張エンジン３０４、外部Ｉ／Ｆ３０５、ファイル管理部３０６、記憶部３０７、入力インターフェース部３０８、表示部３０９を備える。
【００２７】
ＣＰＵ３０１は、ＲＯＭ３０２および記憶部３０７に格納されている制御プログラムに従いＲＡＭ３０３を作業領域に用いて各種制御を行うようになっている。また、ＣＰＵ３０１は、有線あるいは無線のネットワークプロトコルにより外部Ｉ／Ｆ３０５を介してネットワーク９０に接続し、外部のＤＳＣ１０と通信できるようになっている。通信時に送受信するデータは、ＲＡＭ３０３に格納される。受信したデータが画像であり、この画像を記録する場合には、記憶部３０７に画像が記録される。
【００２８】
圧縮伸張エンジン３０４は、画像の圧縮および伸張を行う。ファイル管理部３０６は、ＣＰＵ３０１からの指示に従い、記憶部３０７に記録されるファイルを管理する。記憶部３０７は記録媒体であり、前述した記憶部１０８に関する説明と同様の説明が記憶部３０７にも適用される。
【００２９】
入力インターフェース部３０８は、ユーザが外部端末３０に対する操作入力を行うための操作入力部であり、前述した入力インターフェース部１０２に関する説明と同様の説明が入力インターフェース部３０８にも適用される。表示部３０９は、画像や操作メニュー等を表示することが可能である。
【００３０】
記憶部３０７に記録された画像の再生時には、まずＣＰＵ３０１からの指示により、ファイル管理部３０６を通して記憶部３０７内の画像が読み出され、圧縮伸張エンジン３０４により、記録されているフォーマットに従い画像が伸張される。伸張された画像は表示部３０９に表示される。
【００３１】
図５はアドレス変換装置４０（中継端末）の構成を示している。アドレス変換装置４０は、ＣＰＵ４０１、ＲＯＭ４０２、ＲＡＭ４０３、アドレス変換部４０４、ＷＡＮ側Ｉ／Ｆ４０５、ＬＡＮ側Ｉ／Ｆ４０６を備える。
【００３２】
ＣＰＵ４０１は、ＲＯＭ４０２に格納されている制御プログラムに従いＲＡＭ４０３を作業領域に用いて各種制御を行う。また、ＣＰＵ４０１は、有線あるいは無線のネットワークプロトコルによりＷＡＮ側Ｉ／Ｆ４０５とＬＡＮ側Ｉ／Ｆ４０６とを介して通信されるデータを中継する。ＷＡＮ側Ｉ／Ｆ４０５は、例えばインターネット等のグローバルネットワークとのデータ送受信を行う。ＬＡＮ側Ｉ／Ｆ４０６は、これに接続されるＬＡＮ内の各装置とのデータ送受信を行う。
【００３３】
アドレス変換部４０４は、ＬＡＮ側Ｉ／Ｆ４０６経由で受信するデータについて、アドレス変換テーブルに従い、送信元のＬＡＮ側アドレス、ポート番号をＷＡＮ側アドレス、ポート番号へ変換して、ＷＡＮ側Ｉ／Ｆ４０５経由で送信先アドレスへデータを送信する。また、アドレス変換部４０４は、ＷＡＮ側Ｉ／Ｆ４０５経由で受信するデータについて、アドレス変換テーブルに従い、送信先のアドレス、ポート番号をＬＡＮ側アドレス、ポート番号へ変換して、ＬＡＮ側Ｉ／Ｆ４０６経由でそのアドレス、ポート番号へデータを送信する。
【００３４】
図６は携帯電話５０の構成を示している。携帯電話５０は、ＣＰＵ５０１、入力インターフェース部５０２、ＲＯＭ５０３、ＲＡＭ５０４、表示部５０５、外部Ｉ／Ｆ５０６、ファイル管理部５０７、記憶部５０８、圧縮伸張エンジン５０９、撮像部５１０、音声入力部５１１、音声出力部５１２、携帯電話モジュール部５１３を備える。
【００３５】
ＣＰＵ５０１は、ＲＯＭ５０３に格納されている制御プログラムに従いＲＡＭ５０４を作業領域に用いて各種制御を行う。また、ＣＰＵ５０１は、例えばＩＥＥＥ８０２．１１ｂ／ｇ等の無線のネットワークプロトコルにより外部Ｉ／Ｆ５０６を介してアドホック接続によりＤＳＣ１０と通信できるようになっている。通信時に送受信するデータは、ＲＡＭ５０４に格納される。
【００３６】
入力インターフェース部５０２は、携帯電話５０に対する操作入力を行うための操作入力部であり、前述した入力インターフェース部１０２に関する説明と同様の説明が入力インターフェース部５０２にも適用される。表示部５０５は、画像や操作メニュー等を表示することが可能である。
【００３７】
ファイル管理部５０７は、ＣＰＵ５０１からの指示に従い、記憶部５０８に記録されるファイルを管理する。記憶部５０８は記録媒体であり、前述した記憶部１０８に関する説明と同様の説明が記憶部５０８にも適用される。圧縮伸張エンジン５０９は、画像の圧縮および伸張を行う。撮像部５１０は、被写体像を撮像し撮像データを生成する。
【００３８】
音声入力部５１１は、ユーザが音声を入力するためのマイクロフォンを備える。音声出力部５１２は、音声を外部に出力するためのスピーカを備える。携帯電話モジュール部５１３は携帯電話網９１と接続する。
【００３９】
第１の通信回線である携帯電話網９１との接続時には、音声入力部５１１から入力された音声が、携帯電話モジュール部５１３を通じて携帯電話網９１へ出力され、携帯電話網９１から入力される音声が音声出力部５１２から出力される。また、ＣＰＵ５０１は、携帯電話モジュール部５１３から携帯電話網９１を介してネットワーク９０に接続し、外部の外部端末３０と通信することができる。
【００４０】
図７は、アドレス変換装置４０のアドレス変換部４０４が用いるアドレス変換テーブルの内容を示している。例えば、アドレス変換装置４０のＬＡＮ側Ｉ／Ｆ４０６が、アドレス：１９２．１６８．１０．２、ポート番号：８０からのデータを受信すると、アドレス変換部４０４は、アドレス変換テーブルに従い、送信元のアドレスを１１１．２２２．３３．４４に変換し、送信元のポート番号を１０００１に変換する。また、ＷＡＮ側Ｉ／Ｆ４０５が、アドレス：１１１．２２２．３３．４４、ポート番号：１０００１宛のデータを受信すると、アドレス変換部４０４は、アドレス変換テーブルに従い、送信先のアドレスを１９２．１６８．１０．２に変換し、送信先のポート番号を８０に変換する。
【００４１】
次に、図８および図９を参照しながら、ＤＳＣ１０の動作を説明する。Ｓ１００１で、ＤＳＣ１０がインフラストラクチャモードにてＬＡＮ８０に接続できない場合、かつ、Ｓ１００２で、例えばユーザにより入力インターフェース部１０２を介して電子データの一例である画像の送信要求がある場合、Ｓ１００３でＣＰＵ１０１は携帯電話５０との間にアドホック接続を確立する。一方、Ｓ１００２で画像の送信要求が無い場合はＳ１００１に戻る。
【００４２】
Ｓ１００４で、ＣＰＵ１０１は、送信要求のあった画像それぞれに関して、記憶部１０８に記録されている画像に、要約データの一例である画像固有ＩＤが関連付けられているかどうかを判断し、関連付けがない画像に関してはＳ１００５で画像固有ＩＤを関連付ける。なお、画像固有ＩＤの生成方法の一例としては、画像データに基づきハッシュ計算をしたものが挙げられる。
【００４３】
Ｓ１００６で、ＣＰＵ１０１は、送信要求のあった画像それぞれに関して、要約データの一つである画像関連情報が記憶部１０８に記録されているかどうかを判断し、画像関連情報が存在しない画像に関してはＳ１００７で画像関連情報を生成する。なお、画像関連情報の例としては、画像が静止画である場合はサムネイル画像などとし、画像が動画である場合は代表静止画などとすることができる。Ｓ１００８で、ＣＰＵ１０１は、Ｓ１００３にて確立したアドホック接続により、送信要求のあった画像それぞれの画像固有ＩＤと画像関連情報とを携帯電話５０に送信する。
【００４４】
Ｓ１００９で、ＣＰＵ１０１は、携帯電話５０から送信済み画像固有ＩＤを受信するまで待つ。送信済み画像固有ＩＤは、携帯電話５０から外部端末３０へ画像固有関連ＩＤが送信された場合に携帯電話５０からＤＳＣ１０へ送信されるＩＤである。送信済み画像関連ＩＤを受信した場合、Ｓ１０１０で、ＣＰＵ１０１（情報更新部に対応）は、受信した送信済み画像固有ＩＤと同一の画像固有ＩＤが関連付けられている画像を記憶部１０８内から探し出し、探し出された画像に送信情報を関連付ける。本実施形態の送信情報は、対応する画像の画像関連情報が外部端末３０へ送信されたことを示す情報であるが、これに限らず、画像関連情報が外部端末３０へ送信されたか否かを一意に判別可能な情報であればよい。
【００４５】
送信情報の関連付けは属性情報の更新によって行われる。属性情報の例としては、画像のヘッダ情報の一部や、送信情報管理用ファイルなどがある。この属性状態の更新の例としては、送信済みであることを示すフラグ情報を、探し出された画像のヘッダ情報に付加する方法や、記憶部１０８内に別に送信情報管理用ファイルを設け、送信情報管理用ファイル内へ、探し出された画像のファイル名を記述する方法などがある。
【００４６】
Ｓ１０１１で、ＣＰＵ１０１は、送信要求された全ての画像に対して送信情報の関連付けが完了していれば、Ｓ１０１２で、携帯電話５０とのアドホック接続を切断しＳ１００１に戻る。送信要求された画像の中で、送信情報の関連付けが完了していない画像があれば、Ｓ１００９に戻り、ＣＰＵ１０１は送信済み画像固有ＩＤの受信を待つ。
【００４７】
Ｓ１００１で、インフラストラクチャモードにてＬＡＮ８０に接続できる場合、Ｓ１０１３で、ＣＰＵ１０１（判定部に対応）は、記憶部１０８内に送信情報が関連付けられた画像が存在するか否かを判断する。条件を満たす画像が存在しない場合は、外部端末３０へ送信する対象となりうる画像が存在せず、処理がＳ１００１に戻る。また、条件を満たす画像が存在する場合は、外部端末３０へ送信する対象となりうる画像が存在し、Ｓ１０１４で、ＣＰＵ１０１はインフラストラクチャモードにてＬＡＮ８０に接続する。
【００４８】
Ｓ１０１５で、ＣＰＵ１０１は、アドレス変換装置４０に対してＷＡＮ側アドレス取得の要求を行い、ＷＡＮ側アドレスを取得する。Ｓ１０１６で、ＣＰＵ１０１は、送信情報が関連付けられている画像それぞれについて、画像固有ＩＤと、Ｓ１０１５にて取得したＷＡＮ側アドレスとを外部端末３０宛に送信し、送信した画像固有ＩＤが関連付けられている画像に関連付けられている送信情報を削除する。
【００４９】
Ｓ１０１７、Ｓ１０１８で、マルチキャストまたはブロードキャストによる画像取得要求を受信した場合、Ｓ１０１９、Ｓ１０２０で、ＣＰＵ１０１は、その画像取得要求に含まれる取得画像固有ＩＤと同一の画像固有ＩＤと関連付けられている画像があれば、その画像を画像取得要求応答として画像取得要求の送信元へ送信する。
【００５０】
Ｓ１０２２で、マルチキャストやブロードキャストではなく、ユニキャストによる画像取得要求を受信した場合、Ｓ１０２３で、ＣＰＵ１０１はＳ１０１９と同じ判断を行い、条件を満たす画像があれば、Ｓ１０２０でその画像を画像取得要求応答として画像取得要求の送信元へ送信する。一方、Ｓ１０２３で、条件を満たす画像を有していない場合、ＣＰＵ１０１は、Ｓ１０２４で、指示された画像を持っていないことを示す未保有メッセージを画像取得要求応答として画像取得要求の送信元へ送信する。
【００５１】
Ｓ１０２０またはＳ１０２４の結果、あるいはＳ１０１９で取得画像固有ＩＤと一致する画像固有ＩＤと関連付けられている画像を有していない場合、またはＳ１０２２でユニキャストによる画像取得要求を受信していない場合、Ｓ１０２１で、ＣＰＵ１０１はネットワークからの切断の必要の有無を判断する。例えばユーザが入力インターフェース部１０２を介してアドホック接続の終了を指示したり、あるいはＤＳＣ１０と携帯電話５０との距離が遠くなり、通信ができなくなるなどして、ネットワークから切断の必要がある場合は、Ｓ１０２５でＣＰＵ１０１は携帯電話５０とのネットワークを切断してＳ１００１に戻る。一方、Ｓ１０２１にてネットワーク切断の必要がない場合は、Ｓ１０１７に戻る。
【００５２】
なお、Ｓ１００９にて、携帯電話５０から送信済み画像固有ＩＤを受信した後に送信情報を関連付けているが、Ｓ１００８にて携帯電話５０へ画像固有ＩＤと画像関連情報を送信した時点で、送信した画像固有ＩＤが関連付けられている画像に送信情報を関連付けても良い。
【００５３】
次に、図１０を参照しながら、携帯電話５０の動作を説明する。Ｓ１１０１で、ＣＰＵ５０１は、ＤＳＣ１０とのアドホック接続を確立する。Ｓ１１０２で、ＣＰＵ５０１は、ＤＳＣ１０から画像固有ＩＤと画像関連情報を受信するまで待つ。ＤＳＣ１０から画像固有ＩＤと画像関連情報を受信した場合、Ｓ１１０３で、ＣＰＵ５０１は、受信した画像固有ＩＤと画像関連情報とを携帯電話モジュール部５１３から携帯電話網９１経由で外部端末３０へ送信する。
【００５４】
画像固有ＩＤと画像関連情報とを外部端末３０へ送信した後、Ｓ１１０４で、ＣＰＵ５０１は、送信した画像固有ＩＤを、送信済み画像固有ＩＤとしてＤＳＣ１０へ送信し、Ｓ１１０２へ戻る。
【００５５】
なお、Ｓ１１０４では、画像固有ＩＤと画像関連情報とを外部端末３０へ送信した後、ＤＳＣ１０へ送信済み画像固有ＩＤを送信しているが、例えば画像固有ＩＤと画像関連情報とを外部端末３０へ送信した後、外部端末３０から送信成功の応答を受信した時点でＤＳＣ１０へ送信済み画像固有ＩＤを送信するようにしても良い。
【００５６】
次に、図１１および図１２を参照しながら、アドレス変換装置４０の動作を説明する。Ｓ１２２１、Ｓ１２２２でＣＰＵ４０１は初期動作（外部からＷＡＮ側アドレスを取得し、アドレス変換テーブルを生成する動作）を行う。Ｓ１２２３、Ｓ１２２４で、ＬＡＮ側Ｉ／Ｆ４０６から受信があり、それがＬＡＮ内の装置からのアドレス取得要求である場合、Ｓ１２２５、Ｓ１２２６で、ＣＰＵ４０１はＬＡＮ内の装置にアドレスを割り当て、アドレス変換テーブルの更新を行う。Ｓ１２２７で、ＬＡＮ側Ｉ／Ｆ４０６からの受信内容が画像取得要求の応答である場合、Ｓ１２２８で、ＣＰＵ４０１は、後述する取得応答処理を行う。
【００５７】
一方、Ｓ１２２７で、ＬＡＮ側Ｉ／Ｆ４０６からの受信内容がアドレス取得要求でも画像取得要求の応答でもなく、Ｓ１２３８で、ＷＡＮ側アドレスの取得要求である場合、Ｓ１２３９で、ＣＰＵ４０１はアドレス変換テーブルからＷＡＮ側アドレスを取得して、ＬＡＮ側Ｉ／Ｆ４０６経由でＷＡＮ側アドレス要求元へ送信する。
【００５８】
Ｓ１２３８で、ＷＡＮ側アドレスの取得要求でもない場合は、ＬＡＮ側の装置から外部の装置宛の情報（画像取得要求の応答以外）が受信されたことになる。この場合、Ｓ１２２９、Ｓ１２３０で、ＣＰＵ４０１はアドレス変換テーブルに従い送信元アドレスを変換し、変換された内容を送信先のアドレスへ送信する。
【００５９】
Ｓ１２３１で、画像取得要求をＬＡＮ側Ｉ／Ｆ４０６経由で送信してから、その画像取得要求に対する画像による応答がないまま所定の時間が経過（＝タイムアウト）の場合、Ｓ１２３２で、ＣＰＵ４０１は、画像の未保有メッセージを画像取得要求応答として画像取得要求の送信元に対して送信する。送信にあたり、アドレス変換装置４０のＷＡＮ側アドレス（ポート番号はアドレス変換テーブルで未定義のＷＡＮ側ポート番号を使用）を未保有メッセージの送信元アドレスとする。
【００６０】
Ｓ１２３２の後、あるいはＳ１２３１で所定の時間が経過してなく、Ｓ１２３３、Ｓ１２３４で、ＷＡＮ側Ｉ／Ｆ４０５から画像取得要求がある場合、Ｓ１２３５で、ＣＰＵ４０１は、後述する画像取得要求転送処理を行う。一方、Ｓ１２３４で、ＷＡＮ側Ｉ／Ｆ４０５からの受信内容が画像取得要求でない場合、Ｓ１２３６、Ｓ１２３７で、ＣＰＵ４０１は、アドレス変換テーブルに従い送信先アドレスを変換し、変換された内容を送信先のアドレスへ送信する。
【００６１】
次に、図１３を参照しながら、図１１の取得応答処理（Ｓ１２２８）の内容を説明する。Ｓ１２０１で、受けた応答が、同一の画像取得要求に対する最初の画像の応答である場合にのみ、Ｓ１２０２、Ｓ１２０３で、ＣＰＵ４０１はアドレス変換テーブルに従い送信元アドレスを変換してその画像を送信先アドレスへ送信する。
【００６２】
一方、Ｓ１２０１で、受けた応答が画像以外の応答であって、かつＳ１２０４で、ＬＡＮ側Ｉ／Ｆ４０６への画像取得要求がユニキャストで行われ、さらにユニキャストしたＬＡＮ内の全機器から応答として未保有メッセージを受信した場合、Ｓ１２０５で、ＣＰＵ４０１はＳ１２３２と同じ処理を行う。
【００６３】
Ｓ１２０４で、ＬＡＮ側Ｉ／Ｆ４０６への画像取得要求がマルチキャスト又はブロードキャストで行われている、あるいはユニキャストで行われたがＬＡＮ内の一つ以上の機器から画像による応答を受けている、又はまだ全機器からの応答がない場合、ＣＰＵ４０１は何もせずに取得応答処理を終了する。
【００６４】
次に、図１４〜図１６を参照しながら、図１１の画像取得要求転送処理（Ｓ１２３５）の内容を説明する。図１４〜図１６は、ＬＡＮ側へ画像取得要求を転送する際に、マルチキャストで転送するか、ブロードキャストで転送するか、それともユニキャストで転送するかという点で相違しているが、図１４〜図１６のどれに従ってもよい。
【００６５】
図１４では、Ｓ１２４１、Ｓ１２４２で、ＣＰＵ４０１は、ＷＡＮ側Ｉ／Ｆ４０５から受信した内容をマルチキャストに応じた内容に変換してＬＡＮ側Ｉ／Ｆ４０６経由で所定のマルチキャストアドレスへ送信する。変換の具体的な内容の一例としては、ＴＣＰのパケットをＵＤＰのパケットに変換することが挙げられる。
【００６６】
図１５では、Ｓ１２５１、Ｓ１２５２で、ＣＰＵ４０１は、ＷＡＮ側Ｉ／Ｆ４０５で受信した内容をブロードキャストに応じた内容に変換してＬＡＮ側Ｉ／Ｆ４０６経由で所定のブロードキャストアドレスへ送信する。変換の具体的な内容の一例としては、ＴＣＰのパケットをＵＤＰのパケットに変換することが挙げられる。
【００６７】
図１６では、Ｓ１２６１、Ｓ１２６２で、ＣＰＵ４０１は、ＷＡＮ側Ｉ／Ｆ４０５で受信した内容の送信先アドレスを、アドレス変換テーブルに記載されているＬＡＮ側アドレスとポートの一つに変換し、その送信先アドレスへ送信する。Ｓ１２６３で、ＣＰＵ４０１は、アドレス変換テーブルに記載されているＬＡＮ側の全アドレスへ送信が完了するまでＳ１２６１、Ｓ１２６２を繰り返す。
【００６８】
次に、図１７を参照しながら、外部端末３０の動作の手順を説明する。Ｓ１３０１、Ｓ１３０２で、ＣＰＵ３０１は、画像固有ＩＤと画像関連情報とを受信すると、Ｓ１３０３で、それら２つの情報を関連付けて記憶部３０７に記録する。
【００６９】
一方、Ｓ１３０２で、受信内容が画像固有ＩＤと画像関連情報ではなく、Ｓ１３０４で、画像固有ＩＤと送信元ＷＡＮ側アドレスとである場合、ＣＰＵ３０１は、受信した画像固有ＩＤと同一の画像固有ＩＤが関連付けられて記憶部３０７に記録されている画像関連情報に対して、受信した送信元ＷＡＮ側アドレスをさらに関連付けて記憶部３０７に記録する。一方、Ｓ１３０４で、受信内容が画像固有ＩＤと送信元ＷＡＮ側アドレスとを含まない場合、ＣＰＵ３０１は、受信内容に応じた処理を行う。この処理として、例えば画像を記録する、画像を表示する、画像を転送するなどが挙げられる。
【００７０】
Ｓ１３０７で、画像取得要求命令があった場合は以下のようになる。画像取得要求命令があった場合とは、例えばユーザが入力インターフェース部３０８を用いて画像取得要求命令を入力した場合である。あるいは、画像関連情報に送信元ＷＡＮ側アドレスを関連付けて記録を完了したとＣＰＵ３０１が判断した場合である。これらのような場合であって、Ｓ１３０８で、その画像取得要求命令が、例えばサムネイル画像のような画像関連情報に基づいて発生したものである場合、Ｓ１３１０で、ＣＰＵ３０１は、その画像関連情報に関連付けられて記録されている送信元ＷＡＮ側アドレスに対して画像取得要求を送信する。その際、ＣＰＵ３０１は、画像取得要求に、その画像関連情報に関連付けられて記録されている画像固有ＩＤを取得画像固有ＩＤとして付加する。
【００７１】
一方、Ｓ１３０８で、画像取得要求が、画像関連情報に基づくものでない場合、Ｓ１３０９で、ＣＰＵ３０１は画像取得要求を所定の送信先へ送信する。Ｓ１３０９またはＳ１３１０の後、Ｓ１３１１、Ｓ１３１２で画像取得要求送信先から画像未保有メッセージを受信した場合、Ｓ１３１４で、ＣＰＵ３０１は、画像を取得できなかった旨を表示部３０９に表示する。
【００７２】
一方、Ｓ１３１１、Ｓ１３１２で画像取得要求の送信先から受信した内容が画像未保有メッセージでない場合、画像取得要求の応答として画像が送られてくることになり、Ｓ１３１３で、その画像を記録する。
【００７３】
次に、上述した各装置による動作の具体例を説明する。図１８は、ＤＳＣ１０の記憶部１０８の内容を示している。ＤＳＣ１０の記憶部１０８の中に、画像として、Ｐ８１３０００１．ＪＰＧが画像固有ＩＤ＝３５６Ａ１９Ｂ２・・・と関連付けられて記録されている。
【００７４】
図１９は、図８のＳ１００１〜Ｓ１０１２、図９、図１７のＳ１３０１〜Ｓ１３０３の動作が行われた例を示している。ＤＳＣ１０において、外出時に使用しているなど、自宅のアクセスポイントや公衆無線ＬＡＮスポット等を利用することができない状況であると仮定する。例えば、ユーザから画像Ｐ８１３０００１．ＪＰＧを送信したいという要求があると、ＤＳＣ１０は、図８のＳ１００２、Ｓ１００３によるアドホック接続の確立後、Ｓ１００４、Ｓ１００５で画像Ｐ８１３０００１．ＪＰＧに画像固有ＩＤを関連付けるので、Ｓ１００６、Ｓ１００７の結果として、画像Ｐ８１３０００１．ＪＰＧのサムネイル画像を生成し、記憶部１０８に記録する。ＤＳＣ１０は、Ｓ１００８の結果として画像Ｐ８１３０００１．ＪＰＧのサムネイル画像と、画像固有ＩＤ＝３５６Ａ１９Ｂ２・・・とを、アドホック接続を介して携帯電話５０に送信する。
【００７５】
携帯電話５０は、図１０のＳ１１０１によるＤＳＣ１０とのアドホック接続の確立後、Ｓ１１０２の結果として画像Ｐ８１３０００１．ＪＰＧのサムネイル画像と画像固有ＩＤ＝３５６Ａ１９Ｂ２・・・とを受信するので、Ｓ１１０３、Ｓ１１０４の結果として、携帯電話網９１を介して外部端末３０へ画像Ｐ８１３０００１．ＪＰＧのサムネイル画像と画像固有ＩＤ＝３５６Ａ１９Ｂ２・・・とを送信して、アドホック接続を介してＤＳＣ１０へ送信済み画像固有ＩＤ＝３５６Ａ１９Ｂ２・・・を送信する。
【００７６】
外部端末３０は、図１７のＳ１３０１〜Ｓ１３０３の結果として、携帯電話５０から画像Ｐ８１３０００１．ＪＰＧのサムネイル画像と画像固有ＩＤ＝３５６Ａ１９Ｂ２・・・とを受信すると、それらを関連付けて記憶部３０７に記録する。一方、ＤＳＣ１０は、図８のＳ１００９、Ｓ１０１０の結果、携帯電話５０から送信済み画像固有ＩＤ＝３５６Ａ１９Ｂ２・・・を受信し、この送信済み画像固有ＩＤと同じ値の画像固有ＩＤ＝３５６Ａ１９Ｂ２・・・を有する画像Ｐ８１３０００１．ＪＰＧに送信情報を関連付ける。ここでは、画像Ｐ８１３０００１．ＪＰＧのみ送信が要求されたので、Ｓ１０１１、Ｓ１０１２の結果としてアドホック接続が切断される。
【００７７】
図２０は、ＬＡＮ８０内の各装置および外部端末３０の記憶部の内容を示している。ＬＡＮ８０の中に、ＤＳＣ１０、光ディスクレコーダ６０、ＰＣ７０が存在し、それぞれの装置の記憶部の中に図示する各画像が記録されており、それぞれの画像は画像固有ＩＤと関連付けられて記録されている。例えば、ＤＳＣ１０の記憶部１０８内には画像として画像Ｐ８１３０００１．ＪＰＧが画像固有ＩＤ＝３５６Ａ１９Ｂ２・・・と関連付けられて記録されている。
【００７８】
また、ＤＳＣ１０に関しては、図１９に示した動作が行われた後の状態となっており、画像Ｐ８１３０００１．ＪＰＧに対して、送信済みという送信情報が関連付けられている。外部端末３０の記憶部３０７内には、画像Ｐ８１３０００１．ＪＰＧのサムネイル画像が、画像固有ＩＤ＝３５６Ａ１９Ｂ２・・・と関連付けられて記録されている。
【００７９】
図２１は、図２０に示した状態から、図８のＳ１００１、図９のＳ１０１３〜Ｓ１０２５、図１１〜図１４、図１７のＳ１３０１、Ｓ１３０４〜Ｓ１３１４に従った動作が行われた例を示している。以下の説明では、ＤＳＣ１０とＰＣ７０はマルチキャストアドレス２３９．１．１．１０を開いているが、光ディスクレコーダ６０はマルチキャストアドレスを開いていないと仮定する。
【００８０】
ＤＳＣ１０において、帰宅して自宅のアクセスポイントへ接続が可能な状況に変化したと仮定する。図８のＳ１００１の結果、インフラストラクチャモードでＬＡＮ８０に接続可能であり、図９のＳ１０１３、Ｓ１０１４の結果として、画像Ｐ８１３０００１．ＪＰＧには送信情報が関連付けられているので、ＤＳＣ１０はインフラストラクチャモードでＬＡＮ８０に接続する。
【００８１】
図９のＳ１０１５、図１２のＳ１２３９の結果として、ＤＳＣ１０はアドレス変換装置４０からＷＡＮ側アドレス１１１．２２２．３３．４４を取得する。図９のＳ１０１６の結果として、ＤＳＣ１０は、送信情報が関連付けられている画像Ｐ８１３０００１．ＪＰＧの画像固有ＩＤ＝３５６Ａ１９Ｂ２・・・とＷＡＮ側アドレス１１１．２２２．３３．４４とを外部端末３０宛に送信して、記憶部１０８内の画像Ｐ８１３０００１．ＪＰＧに関連付けられている送信済みという送信情報を削除する。
【００８２】
アドレス変換装置４０は、図１１のＳ１２２３、Ｓ１２２４、Ｓ１２２７、図１２のＳ１２３８、Ｓ１２２９、Ｓ１２３０の結果として、ＤＳＣ１０から受信したデータの送信元アドレスを、アドレス変換テーブルに従い変換して、画像固有ＩＤ＝３５６Ａ１９Ｂ２・・・とＷＡＮ側アドレス１１１．２２２．３３．４４とをＷＡＮ側Ｉ／Ｆ４０５経由で外部端末３０へ送信する。
【００８３】
外部端末３０は、図１７のＳ１３０１、Ｓ１３０２、Ｓ１３０４、Ｓ１３０５の結果として、アドレス変換装置４０から受信した画像固有ＩＤ＝３５６Ａ１９Ｂ２・・・と同じ画像固有ＩＤが関連付けられたサムネイル画像にＷＡＮ側アドレス１１１．２２２．３３．４４をさらに関連付けて記録する。画像Ｐ８１３０００１．ＪＰＧのサムネイル画像に基づいた画像取得要求命令を受けると（例えば表示部３０９によって表示されたサムネイル画像の一覧からユーザによって画像Ｐ８１３０００１．ＪＰＧのサムネイル画像が選択された場合）、外部端末３０は、図１７のＳ１３０７、Ｓ１３０８、Ｓ１３１０の結果として、画像Ｐ８１３０００１．ＪＰＧのサムネイル画像に関連付けられているＷＡＮ側アドレス１１１．２２２．３３．４４に対して、取得画像固有ＩＤ＝３５６Ａ１９Ｂ２・・・を含む画像取得要求を送信する。
【００８４】
アドレス変換装置４０は、図１１のＳ１２３３、Ｓ１２３４、図１４のＳ１２４１、Ｓ１２４２の結果、外部端末３０から受信した画像取得要求をマルチキャストに応じた内容へ変換して、取得画像固有ＩＤ＝３５６Ａ１９Ｂ２・・・を含む変換された画像取得要求を、ＬＡＮ側Ｉ／Ｆ４０６経由でマルチキャストアドレス２３９．１．１．１０へ送信する。ＤＳＣ１０は、図９のＳ１０１７、Ｓ１０１９、Ｓ１０２０の結果、取得画像固有ＩＤ＝３５６Ａ１９Ｂ２・・・と一致する画像固有ＩＤ＝３５６Ａ１９Ｂ２・・・を有する画像Ｐ８１３０００１．ＪＰＧを有しているため、画像Ｐ８１３０００１．ＪＰＧを、画像取得要求の送信元である外部端末３０宛に送信する。
【００８５】
一方、ＰＣ７０も画像取得要求を受信するが、ＰＣ７０には取得画像固有ＩＤ＝３５６Ａ１９Ｂ２・・・と一致する画像固有ＩＤを有する画像は無いため、外部端末３０宛にはなにも送信しない。また、光ディスクレコーダ６０は、取得画像固有ＩＤ＝３５６Ａ１９Ｂ２・・・と一致する画像固有ＩＤを有する画像を所有しているが、マルチキャストアドレス２３９．１．１．１０を開いていないため、画像取得要求を認識できておらず、よって外部端末３０宛にはなにも送信しない。
【００８６】
アドレス変換装置４０は、図１１のＳ１２２３、Ｓ１２２４、Ｓ１２２７、図１３のＳ１２０１〜Ｓ１２０３の結果、ＤＳＣ１０から受信した画像Ｐ８１３０００１．ＪＰＧを、送信元アドレスをアドレス変換テーブル４１０により１１１．２２２．３３．４４、ポート１０００１へと変換して、ＷＡＮ側Ｉ／Ｆ４０５経由で外部端末３０へ送信する。外部端末３０は、図１７のＳ１３１１〜Ｓ１３１３の結果、画像Ｐ８１３０００１．ＪＰＧを受信し記憶部３０７に記録する。
【００８７】
上記の実施形態の変形例として、携帯電話５０がＤＳＣ１０の機能を兼ね備え、携帯電話網９１を介して画像固有ＩＤとサムネイル画像を外部端末３０へ送信した後、外部端末３０からの画像取得要求に基づいて、ＬＡＮ８０を介して画像を外部端末３０へ送信してもよい。この場合、外部Ｉ／Ｆ５０６は、ＤＳＣ１０の外部Ｉ／Ｆ１０６と同様にアドホックモードとインフラストラクチャモードの両方に対応したものとする。
【００８８】
上述したように、本実施形態によれば、ＤＳＣ１０は、ＬＡＮに接続することができない状況であっても、アドホック接続を行える状況であれば、画像に対応したサムネイル画像等の画像関連情報（要約データ）を送信する。この画像関連情報が外部端末３０で受信されると、ＤＳＣ１０と外部端末３０との間でデータを共有することが可能となる。また、携帯電話網９１経由で画像関連情報を送信することによって、従来のように携帯電話網９１経由で、データ量の大きい画像を送信する場合と比較して、端末間のデータの共有に必要な通信時間および通信負荷を低減することができる。
【００８９】
また、ＤＳＣ１０が、携帯電話網９１に接続できない端末であっても、携帯電話網９１に接続できる端末（携帯電話５０）と直接通信できるため、複雑な手間や設備を必要としない。
【００９０】
以上、図面を参照して本発明の実施形態について詳述してきたが、具体的な構成は上記の実施形態に限られるものではなく、本発明の要旨を逸脱しない範囲の設計変更等も含まれる。
【図面の簡単な説明】
【００９１】
【図１】本発明の一実施形態による第１の通信システムの構成を示す構成図である。
【図２】本発明の一実施形態による第２の通信システムの構成を示す構成図である。
【図３】本発明の一実施形態によるＤＳＣの構成を示すブロック図である。
【図４】本発明の一実施形態による外部端末の構成を示すブロック図である。
【図５】本発明の一実施形態によるアドレス変換装置の構成を示すブロック図である。
【図６】本発明の一実施形態による携帯電話の構成を示すブロック図である。
【図７】本発明の一実施形態によるアドレス変換テーブルの内容を示す参考図である。
【図８】本発明の一実施形態によるＤＳＣの動作の手順を示すフローチャートである。
【図９】本発明の一実施形態によるＤＳＣの動作の手順を示すフローチャートである。
【図１０】本発明の一実施形態による携帯電話の動作の手順を示すフローチャートである。
【図１１】本発明の一実施形態によるアドレス変換装置の動作の手順を示すフローチャートである。
【図１２】本発明の一実施形態によるアドレス変換装置の動作の手順を示すフローチャートである。
【図１３】本発明の一実施形態によるアドレス変換装置の動作（取得応答処理）の手順を示すフローチャートである。
【図１４】本発明の一実施形態によるアドレス変換装置の動作（画像取得要求転送処理）の手順を示すフローチャートである。
【図１５】本発明の一実施形態によるアドレス変換装置の動作（画像取得要求転送処理）の手順を示すフローチャートである。
【図１６】本発明の一実施形態によるアドレス変換装置の動作（画像取得要求転送処理）の手順を示すフローチャートである。
【図１７】本発明の一実施形態による外部端末の動作の手順を示すフローチャートである。
【図１８】本発明の一実施形態によるＤＳＣが備える記憶部の内容を示す参考図である。
【図１９】本発明の一実施形態による各装置の動作例を示すシーケンス図である。
【図２０】本発明の一実施形態によるＬＡＮ内の各装置が備える記憶部の内容を示す参考図である。
【図２１】本発明の一実施形態による各装置の動作例を示すシーケンス図である。
【符号の説明】
【００９２】
１０・・・ＤＳＣ、３０・・・外部端末、４０・・・アドレス変換装置、５０・・・携帯電話、１０１，３０１，４０１，５０１・・・ＣＰＵ、１０２，３０８，５０２・・・入力インターフェース部、１０３，３０２，４０２，５０３・・・ＲＯＭ、１０４，３０３，４０３，５０４・・・ＲＡＭ、１０５，３０９，５０５・・・表示部、１０６，３０５，５０６・・・外部Ｉ／Ｆ、１０７，３０６，５０７・・・ファイル管理部、１０８，３０７，５０８・・・記憶部、１０９，３０４，５０９・・・圧縮伸張エンジン、１１０，５１０・・・撮像部、４０４・・・アドレス変換部、４０５・・・ＷＡＮ側Ｉ／Ｆ、４０６・・・ＬＡＮ側Ｉ／Ｆ、５１１・・・音声入力部、５１２・・・音声出力部、５１３・・・携帯電話モジュール部
【図１】
2010068295.tif 000003
【図２】
2010068295.tif 000004
【図３】
2010068295.tif 000005
【図４】
2010068295.tif 000006
【図５】
2010068295.tif 000007
【図６】
2010068295.tif 000008
【図７】
2010068295.tif 000009
【図８】
2010068295.tif 000010
【図９】
2010068295.tif 000011
【図１０】
2010068295.tif 000012
【図１１】
2010068295.tif 000013
【図１２】
2010068295.tif 000014
【図１３】
2010068295.tif 000015
【図１４】
2010068295.tif 000016
【図１５】
2010068295.tif 000017
【図１６】
2010068295.tif 000018
【図１７】
2010068295.tif 000019
【図１８】
2010068295.tif 000020
【図１９】
2010068295.tif 000021
【図２０】
2010068295.tif 000022
【図２１】
2010068295.tif 000023